(57)【特許請求の範囲】
【請求項１】
右手首に取り付けられる右手首保持部と、左手首に取り付けられる左手首保持部と、該左手首保持部と前記右手首保持部間の間隔を所定の間隔に維持し、前記左手首保持部に取り付けられた本体部とを備えるゴルフスイング矯正ユニットであって、
前記本体部が、ゴルフクラブのグリップ位置よりも高い位置のゴルフクラブを保持するクラブ保持手段と、アドレスからインパクト時迄は前記右手首保持部の接合を維持し、フォロースルー時に接合が解除される所定の接合力をもつ接合手段とを有し、
前記クラブ保持手段が、前記本体部から使用者の体側に延びる一対の足部と、該足部間にクラブグリップを貫通させる空間を形成する弾性材料と、を有して成り、
更に前記本体部から使用者の反体側に延びる握り部を備え、当該握り部を前記ゴルフクラブを握る際に併せて握り込むことにより、前記本体部を介して前記ゴルフクラブのグリップエンドの位置を左右の腕のいずれかの方向にずらして傾斜させる
ことを特徴とするゴルフスイング矯正ユニット。
【請求項２】
左手首に取り付けられる左手首保持部と、右手首に取り付けられる右手首保持部と、該右手首保持部と前記左手首保持部間の間隔を所定の間隔に維持し、前記右手首保持部に取り付けられた本体部とを備えるゴルフスイング矯正ユニットであって、
前記本体部が、ゴルフクラブのグリップ位置よりも高い位置のゴルフクラブを保持するクラブ保持手段と、アドレスからインパクト時迄は前記左手首保持部の接合を維持し、フォロースルー時に接合が解除される所定の接合力をもつ接合手段とを有し、
前記クラブ保持手段が、前記本体部から使用者の体側に延びる一対の足部と、該足部間にクラブグリップを貫通させる空間を形成する弾性材料と、を有して成り、
更に前記本体部から使用者の反体側に延びる握り部を備え、当該握り部を前記ゴルフクラブを握る際に併せて握り込むことにより、前記本体部を介して前記ゴルフクラブのグリップエンドの位置を左右の腕のいずれかの方向にずらして傾斜させる  
ことを特徴とするゴルフスイング矯正ユニット。
【請求項３】
前記右手首保持部が、手首を通す円環状の弾性部材から成ると共に面ファスナーの一方のファスナー面を外周部に有し、前記本体部が、前記右手首保持部の面ファスナーの他方のファスナー面を外周部に有する請求項１又は２に記載の矯正ユニット。
【請求項４】
前記左手首保持部が、前記本体部に固定的に取り付けられている請求項１〜３の何れかに記載の矯正ユニット。
【請求項５】
前記本体部が、顔部と胴体部と複数の足部とを含む動物キャラクターの外観を形成し、該複数の足部と、該複数の足部間にクラブグリップを貫通させる空間を形成する弾性材料とから成る請求項１〜４の何れかに記載のゴルフスイング矯正ユニット。
【発明の詳細な説明】
【技術分野】
【０００１】
本発明は、ゴルフスイングを最適に矯正することができるゴルフスイング矯正ユニットに係り、特に、ゴルフクラブのグリップ把持位置に対して両手首位置及びクラブのグリップ近傍位置との相対位置を固定することによって最適なスイングに矯正することができるゴルフスイング矯正ユニットに関する。
【背景技術】
【０００２】
一般にゴルフスイングは、身体の軸線を中心としてクラブヘッドをボールに対して正しい軌跡を描いた円運動によってショットさせるため、左右の両肘間の距離が略一定に保持され、且つ、インパクト時に肘が略伸ばされた引き手側（飛球方向側の手）の甲が飛球方向に向くように手首が固定された状態で保持され且つ、インパクト時の左右両腕と胴体で形成される概三角形状の間隙を略保持するようなスイングが理想的であるといわれている。
【０００３】
しかしながら、このような理想的なスイングを器具を用いずに練習によって習得することは困難であり、このためにゴルフスイングを矯正するための矯正具が多数提案されており、例えば下記の特許文献１には、左右両肘間の距離が一定に保持され、且つ、左右両腕内面を本体左右両側面に当接して固定する平板形状の本体部を用い、インパクト時に引き手側の甲を飛球方向に向かせ、且つ、左肘を略伸張させるスイング矯正装着具が記載され、特許文献２には、スイング時にゴルファーの前腕間に三角形を維持するために両手首間を拘束する拘束ウエッジが記載され、特許文献３には、ゴルフ手袋にクラブを固定するための固定手段を設ける技術が記載されている。
【先行技術文献】
【特許文献】
【０００４】
【特許文献１】実用新案登録第３１４９９６０号公報
【０００５】
【特許文献２】特表平１０−５０７１０９号公報
【０００６】
【特許文献３】特開平８−２３８３４８号公報
【発明の概要】
【発明が解決しようとする課題】
【０００７】
前述の特許文献１に記載されたスイング矯正装着具は、ゴルファーの左右両腕内面を両側面に当接して固定するための平板形状の本体部を用いてゴルファーの胸部分を覆う矯正器具のサイズが大きくなり、持ち運びに不便であると共に、外観的にも目立ち、例えばゴルフ練習場での使用にはゴルファーのためらいを招く可能性があり、更には、平板形状の本体部の一方が左腕を略垂直にクラブを保持する位置に固定するため、ボールを置く位置が固定されるという課題があった。
【０００８】
また、前記の特許文献２記載の技術は、両手首間を固定することができるものの、クラブの保持をゴルファーによるグリップ把持のみによって行うため、クラブが動きやすく最適な矯正が困難であるという課題があり、前記の特許文献３記載の技術は、左手首のみにクラブを固定しているため、インパクト時の左右両腕と胴体で形成される概三角形状を保持することが困難であると言う課題があった。
【０００９】
本発明の目的は、前述の従来技術による課題を解決することであり、インパクト時の左右両腕と胴体で形成される概三角形状の間隙を略保持すると共に、グリップの把持位置に対して両手首位置及びクラブのグリップ近傍位置との相対位置を固定することによって、矯正に最適なゴルフスイング矯正ユニットを提供することである。
【課題を解決するための手段】
【００１０】
前記目的を達成するために本発明は、右手首に取り付けられる右手首保持部と、左手首に取り付けられる左手首保持部と、該左手首保持部と前記右手首保持部間の間隔を所定の間隔に維持し、前記左手首保持部に取り付けられた本体部とを備えるゴルフスイング矯正ユニットであって、
前記本体部が、ゴルフクラブのグリップ位置よりも高い位置のゴルフクラブを保持するクラブ保持手段と、アドレスからインパクト時迄は前記右手首保持部の接合を維持し、フォロースルー時に接合が解除される所定の接合力をもつ接合手段とを有し、前記クラブ保持手段が、前記本体部から使用者の体側に延びる一対の足部と、該足部間にクラブグリップを貫通させる空間を形成する弾性材料と、を有して成り、更に前記本体部から使用者の反体側に延びる握り部を備え、当該握り部を前記ゴルフクラブを握る際に併せて握り込むことにより、前記本体部を介して前記ゴルフクラブのグリップエンドの位置を左右の腕のいずれかの方向にずらして傾斜させることを特徴とする。
更に、左手首に取り付けられる左手首保持部と、右手首に取り付けられる右手首保持部と、該右手首保持部と前記左手首保持部間の間隔を所定の間隔に維持し、前記右手首保持部に取り付けられた本体部とを備えるゴルフスイング矯正ユニットであって、
前記本体部が、ゴルフクラブのグリップ位置よりも高い位置のゴルフクラブを保持するクラブ保持手段と、アドレスからインパクト時迄は前記左手首保持部の接合を維持し、フォロースルー時に接合が解除される所定の接合力をもつ接合手段とを有し、前記クラブ保持手段が、前記本体部から使用者の体側に延びる一対の足部と、該足部間にクラブグリップを貫通させる空間を形成する弾性材料と、を有して成り、更に前記本体部から使用者の反体側に延びる握り部を備え、当該握り部を前記ゴルフクラブを握る際に併せて握り込むことにより、前記本体部を介して前記ゴルフクラブのグリップエンドの位置を左右の腕のいずれかの方向にずらして傾斜させる
ことを特徴とする。
【００１３】
また、本発明は、前記第１又は第２の特徴のゴルフスイング矯正ユニットにおいて、前記右手首保持部が、手首を通す円環状の弾性部材から成ると共に面ファスナーの一方のファスナー面を外周部に有し、前記本体部が、前記右手首保持部の面ファスナーの他方のファスナー面を外周部に有することを特徴とする。
【００１４】
また、本発明は、前記何れかの特徴の矯正ユニットにおいて、前記左手首保持部が、前記本体部に固定的に取り付けられていることを特徴とする。
【００１５】
また、本発明は、前記第２から第４何れかの特徴のゴルフスイング矯正ユニットにおいて、前記本体部が、顔部と胴体部と複数の足部とを含む動物キャラクターの外観を形成し、該複数の足部と、該複数の足部間にクラブグリップを貫通させる空間を形成する弾性材料とから成ることを特徴とする。
【発明の効果】
【００１６】
本発明によるゴルフスイング矯正ユニットは、右手首に取り付けられる右手首保持部と、左手首に取り付けられる左手首保持部と、該左手首保持部と前記右手首保持部間の間隔を所定の間隔に維持し、前記左手首保持部に取り付けられた本体部とを備え、前記本体部が、ゴルフクラブのグリップ位置よりも高い位置のゴルフクラブを保持するクラブ保持手段と、アドレスからインパクト時迄は前記右手首保持部の接合を維持し、フォロースルー時に接合が解除される所定の接合力をもつ接合手段とを備えることによって、ゴルフクラブのグリップ把持位置に対して両手首位置及びクラブのグリップ近傍位置との相対位置を固定し、最適なスイングの矯正を行うことができる。
【図面の簡単な説明】
【００１７】
【図１】本発明の一実施形態によるゴルフスイング矯正ユニットの使用状態を示す図。
【図２】本実施形態によるゴルフスイング矯正ユニットの外観説明図。
【図３】本実施形態によるゴルフスイング矯正ユニットのクラブ保持状態を示す図。
【図４】本実施形態によるゴルフスイング矯正ユニットのクラブ保持位置を示す図。
【発明を実施するための形態】
【００１８】
以下、本発明の一実施形態によるゴルフスイング矯正ユニットを図面を参照して詳細に説明する。
［構成］
本実施形態によるゴルフスイング矯正ユニットは、ゴルファーの両手首とゴルフクラブのグリップの任意の位置関係を保持するためのものであって、図２に示す如く、ゴルファーの右手首に取り付けられる弾性材料の環形状且つ表面に面ファスナー部を形成したサポーター状の右手首保持部２１と、該右手首保持部２１の面ファスナー部と所定の接合力によって面接合する面ファスナー部２３ｄが表面に設けられ、該面ファスナー部２３ｄと対向する他面に帯状の面ファスナーである左手首保持部２２が取り付けられ、ゴルファーに向かう方向（図１の動物の尻尾がある方向）からゴルファーの足方向（図１の動物の後ろ足が伸びる方向）に向かって突出した２本の足部２３ａ及び２３ｂ間に弾性力を持って連結するゴム等の弾性連結部２３ｃが設けられ、外観が顔部と胴体部と足部とを含む動物キャラクター形状に形成された本体部２０とから構成され、前記足部２３ａ及び２３ｂ並びに弾性連結部２３ｃは、本体部２０に対してゴルフクラブを保持するクラブ保持手段を構成している。
【００１９】
前記左手首保持部２２は、本体部２０に帯状の一部が縫いつけ等によって固定的に取り付けられ、帯状の開放端をゴルファーの左手首に巻き付けることによって、本体部２０をゴルファーの左手首に取り付けることができ、前記右手首保持部２１は、通常の手首用サポーター同様にゴルファーの手首に挿入することによって、ゴルファーの右手首に取り付けることができる。また、該右手首保持部２１と本体部２０の面ファスナー部２３ｄとの所定の接合力は、ゴルファーのアドレス、バックスイング、ダウンスイング、インパクト直後までの間は面接合を維持し、フォロースルー時においては接合が解除される範囲の接合力であり、厳格にはゴルファーの筋力に応じて設定することが望ましいが、例えば、本体部２０の面ファスナー部２３ｄは一般に市販されているマジックテープ（登録商標）の汎用タイプ製品を２．５ｃｍ×８ｃｍの長面形状、右手首保持部２１の面ファスナー部は約６ｃｍ×６ｃｍの面形状としても良い。なお、面ファスナーとは、例えば、フック状に起毛された一方のファスナー面側とループ状に密集して起毛された他方のファスナー面側とを押し付けるとそれだけで貼り付くように構成された接合手段であって、貼り付け及び剥がしを容易に行うことができるものである。
【００２０】
［使用状態］
本実施形態によるゴルフスイング矯正ユニットは、ゴルファーが、図１に示す如く、（イ）右腕９２の右手首に右手首保持部２１を手首用サポーター同様に取り付け、（ロ）前記本体部２０が両腕間に位置し且つ前記２本の足部２３ａ及び２３ｂがゴルファーの足方向に向くように帯状の左手首保持部２２を左腕９１の左手首に巻き付け、（ハ）前記本体部２０の足部２３ａ及び２３ｂ間に弾性連結部２３ｃが本体部２２との間に形成する空間（両足の間）にゴルフクラブ１０のグリップを下方向から差し入れて左手によってクリップを握り、（ニ）この左腕９１によってグリップを握った状態でグリップに右腕９２を添えて握ることによって前記右手首保持部２１と本体部２０の面ファスナー部２３ｄとが面接合することによって、ゴルファーに装着することができ、このアドレス、バックスイング、ダウンスイング、インパクト直後までの間は右手首保持部２１と左手首保持部２２の面ファスナー部とが面接合を維持し、フォロースルー時においては接合が解除されるように作用する。
【００２１】
前記アドレス時におけるゴルフスイング矯正ユニットは、図３に示す如く、右腕９２の右手首に巻かれた右手首保持部２１の中心位置Ａと、左腕９１の左手首保持部２２の中心位置Ｂと、ゴルファーがグリップを握ったときの力が作用する把持位置である中心位置Ｚとが位置ＡＢＺを結ぶ三角形位置を形成することによって、スイングからインパクト時の左右両腕と胴体で形成される位置ＸＹＺにより形成される理想的な三角形状の間隙を維持することができる。
【００２２】
更に、本実施形態によるゴルフスイング矯正ユニットは、前記本体部２０から突出した足部２３ａ及び足部２３ｂとの間の弾性連結部２３ｃが形成する空間内にクラブ１０のグリップを貫通して固定しており、前記クラブ保持位置Ｃと前記把持位置Ｚとの２点によってクラブを固定しているため、アドレスを横方向から見たとき、図４に示す如く、クラブ１０の延出方向１０Ｌに対して、クラブ１０を両腕のライン９０Ｌ上の手首固定位置ＡＢ及びクラブ１０上の把持位置Ｚとによって保持し、位置ＡＢ、Ｃ、Ｚの第２の三角形状の間隙を維持することができ、従ってゴルファーに対して許容される動きを、ゴルフクラブ１０の手首を上下させる上下方向とスイング方向のみに制約することによって、スイングを理想的な動きに矯正することができる。
【００２３】
この本ゴルフスイング矯正ユニットの固定位置を三次元的に説明すると、本実施形態によるゴルフスイング矯正ユニットは、両手首の位置ＡＢとクリップ位置Ｚが形成する三角形面と、両手首の位置ＡＢとクラブ保持位置Ｃとが形成する三角形面とを形成し、この両三角形面の頂点ＣＺをゴルフクラブの延出方向１０Ｌ上に固定させることよって、両手首に対してクラブを２点（ＣＺ）で保持することができ、従ってスイングを理想的な動きに矯正することができる。
【００２４】
なお、前述の実施形態においては、本体部２０を顔部と胴体部と足部とを含む動物のキャラクターとする例を説明したが、前記両手首保持部２１及び２２の間を所定の間隔（図３中の位置ＡＢ間）に形成できる幅があり、前記両足２３ａ及び２３ｂ等によってゴルフクラブのグリップ位置よりも上方の位置（図３の位置Ｃ）を前記位置ＡＢ間と所定の間隔で維持できる構造であれば、他のキャラクターや物、或いは単純な円筒状その他形状としても良い。また、本実施形態においては、右手首保持部２１と本体部２０との接合に面接合ファスナーを使用する例を説明したが、この面接合ファスナーに限られるものではなく、アドレスからインパクト直後までは接合し、フォロースルー時に接合が解除される他の接合手段であっても良い。また、前記実施形態においては、本体部２０の左手首保持部２２を左手首に直接巻き付ける例を説明したが、手首の保護及び滑りを防止するために手首に一般の薄手の手首サポーターを巻き、この手首サポーターの上に前記左手首保持部２２を（左手首に）巻き付けても良い。また、右手側と左手側とで構成を反転させてもよい。
【００２５】
以上述べたように、本発明の各実施形態によるゴルフスイング矯正ユニットは、動物キャラクターの本体部２０が、左手首保持部２２と右手首保持部２１との間の間隔を所定の間隔に維持し、グリップ位置よりも高い位置のゴルフクラブ１０を足部２３ａ及び２３ｂ間に貫通させてクラブを保持した状態に固定し、アドレスからインパクト時迄は右手首保持部２１と本体部２０との接合を維持し、フォロースルー時に接合を解除する接合手段とを備えたことによって、ゴルフクラブのグリップ把持位置に対して両手首位置及びクラブのグリップ近傍位置との相対位置を固定し、最適なゴルフスイングの矯正を行うことができる。
【００２６】
また、グリップを握る際に、動物キャラクターの前足（握り部）の何れかを併せて握り込むことによって、ボールの軌道をある程度調整することが可能である。例えば、動物キャラクターの右側の前足を併せて握ってスイングすれば、（握らない場合よりも）フック傾向のボールを打つことができる。一方、動物キャラクターの左側の前足を併せて握ってスイングすれば、（握らない場合よりも）スライス傾向のボールを打つことができる。これは動物キャラクターの前足（握り部）を握ることで、本体部を介してゴルフクラブのグリップエンドの位置がより右手側若しくは左手側にずれて位置決めされるからである。更に、握り部を併せて握る事により、グリップの握り過ぎ（強い力で握り過ぎること）を防止できるという効果も発揮する。
【符号の説明】
【００２７】
１０  ゴルフクラブ、２０  本体部、２１  右手首保持部、２２  左手首保持部、
２３ａ及び２３ｂ  足部、２３ｃ  弾性連結部、２３ｄ  面ファスナー部、
９１  左腕、９２  右腕
【要約】
【課題】最適な矯正を行うことができるゴルフスイング矯正ユニットの提供。
【解決手段】右手首に取り付けられる右手首保持部２１と、左手首に取り付けられる左手首保持部２２と、該左手首保持部２２と右手首保持部２１との間の間隔を所定の間隔に維持し、左手首保持部２２に取り付けられ、ゴルフクラブのグリップ位置よりも高い位置のゴルフクラブを足部２３ａ及び２３ｂ間に保持するクラブ保持手段と、アドレスからインパクト時迄は右手首保持部２１の接合を維持し、フォロースルー時に本体部２０との接合が解除される所定の接合力をもつ接合手段とを備えることによって、ゴルフクラブのグリップ把持位置に対して両手首位置及びクラブのグリップ近傍位置との相対位置を固定するゴルフスイング矯正ユニット。
【選択図】図１【図１】
0004659921.tif 000002
【図２】
0004659921.tif 000003
【図３】
0004659921.tif 000004
【図４】
0004659921.tif 000005